(57)【要約】【課題】例えばビルの屋上に敷設するだけで緑化することのできるコケ付き緑化基盤を提供する。【解決手段】成形型１の中に基盤材料２を入れる。基盤材料２は、焼成珪藻土粉末を主体にし、バインダーとしてのセメントを含む。成形型１の中の基盤材料２が固化する前に生ゴケ５を載置し、次いで、基盤材料２が固化して生ゴケ５と一体化するのを待つ。これにより製造されたコケ付き緑化基盤７は、ビルの屋上などに敷設することができる。【選択図】　　　図１
2004141030.tif 000002
【特許請求の範囲】
【請求項１】
焼成珪藻土とセメントとを含む基盤材料から作られた緑化用基盤の表面にコケが付着されていることを特徴とするコケ付き緑化基盤。
【請求項２】
前記基盤材料が、約７０〜８５重量％の焼成珪藻土と約３０〜１５重量％のセメントを含む、請求項１に記載のコケ付き緑化基盤。
【請求項３】
焼成珪藻土とセメントとを含む第１の基盤材料から作られた緑化用ベース基盤であって、
該緑化用ベース基盤は、焼成珪藻土とセメントとを含む第２の基盤材料を受け入れる凹所を有し、該凹所に投入された第２の基盤材料が固化する前に生ゴケを載置することにより、この第２の基盤材料を介して生ゴケと一体化することのできる緑化用ベース基盤。
【請求項４】
焼成珪藻土とセメントとを含む基盤材料を成形型の中に入れる第１工程と、
前記成形型の中の前記基盤材料が固化する前に、生ゴケを載置する第２工程と、
前記基盤材料を固化させて生ゴケを一体化させる第３工程とを有することを特徴とするコケ付き緑化基盤の製造方法。
【請求項５】
焼成珪藻土とセメントとを含む第１の基盤材料から作られた緑化用ベース基盤を用意する第１工程と、
該緑化用ベース基盤の表面に、焼成珪藻土とセメントとを含む第２の基盤材料を塗布する第２工程と、
該第２の基盤材料が固化する前に、該第２の基盤材料の上に生ゴケを載置する第３工程とを有し、
前記第３工程の後に、前記第２の基盤材料が固化することにより前記第２の基盤材料と生ゴケとが一体化することを特徴とするコケ付き緑化基盤の製造方法。
【請求項６】
前記第１基盤材料及び前記第２基盤材料が、約７０〜８５重量％の焼成珪藻土と約３０〜１５重量％のセメントを含む、請求項５に記載の緑化基盤の製造方法。
【発明の詳細な説明】
【０００１】
【発明の属する技術分野】
この発明は、都市緑化、典型的にはビルの屋上緑化に好適な緑化基盤に関し、より詳しくは、コケを着生させたコケ付き緑化基盤及びそのベース基盤並びに製造方法に関する。
【０００２】
【従来の技術】
ビルの屋上、道路の中央分離帯などを緑化するのに、植物の一種であるセダムや芝が多用されている。この種の植物は土壌と肥料を必要とし、また、刈り込みや適切な水やりなどのメンテナンスを必要とするだけでなく、過度な湿度に弱いという欠点がある。このようなことから、コケを用いた緑化が提案されている。
【０００３】
このようなコケを用いた緑化は、大気の乾燥に強く、また土壌層が無い環境下でも繁殖することから、散水、施肥などのメンテナンスを必要としないという利点がある。
【０００４】
【発明が解決しようとする課題】
本発明の目的は、例えばビルの屋上に敷設するだけで緑化することのできるコケ付き緑化基盤及びその製造方法を提供することにある。
【０００５】
本発明の他の目的は、コケ付き緑化基盤を作るのに好適なベース基盤及びその製造方法を提供することにある。
【０００６】
【課題を解決するための手段】
上記の技術的課題は、本発明の第１の観点によれば、
焼成珪藻土とセメントとを含む基盤材料から作られた緑化用基盤の表面にコケが付着されていることを特徴とするコケ付き緑化基盤を提供することにより達成される。
【０００７】
上記の技術的課題は、本発明の第２の観点によれば、
焼成珪藻土とセメントとを含む第１の基盤材料から作られた緑化用ベース基盤であって、
該緑化用ベース基盤は、焼成珪藻土とセメントとを含む第２の基盤材料を受け入れる凹所を有し、該凹所に投入された第２の基盤材料が固化する前に生ゴケを載置することにより、この第２の基盤材料を介して生ゴケと一体化することのできる緑化用ベース基盤を提供することにより達成される。
【０００８】
また、上記の技術的課題は、本発明の第３の観点によれば、
焼成珪藻土とセメントとを含む基盤材料を成形型の中に入れる第１工程と、
前記成形型の中の前記基盤材料が固化する前に、生ゴケを載置する第２工程と、
前記基盤材料を固化させて生ゴケを一体化させる第３工程とを有することを特徴とするコケ付き緑化基盤の製造方法を提供することにより達成される。
【０００９】
また、上記の技術的課題は、本発明の第４の観点によれば、
焼成珪藻土とセメントとを含む第１の基盤材料から作られた緑化用ベース基盤を用意する第１工程と、
該緑化用ベース基盤の表面に、焼成珪藻土とセメントとを含む第２の基盤材料を塗布する第２工程と、
該第２の基盤材料が固化する前に、該第２の基盤材料の上に生ゴケを載置する第３工程とを有し、
前記第３工程の後に、前記第２の基盤材料が固化することにより前記第２の基盤材料と生ゴケとが一体化することを特徴とするコケ付き緑化基盤の製造方法を提供することにより達成される。
【００１０】
【発明の実施の形態】
本発明の好ましい実施の形態では、軽量化を目的とするのであれば、上記基盤材料は、焼成珪藻土を主体とし、バインダーとしてのセメントを含むのがよく、最も好ましくは、基盤材料が、約７０〜８５重量％の焼成珪藻土と約３０〜１５重量％のセメントを含むのがよい。
【００１１】
【実施例】
添付の図面を参照して本発明の好ましい実施例を以下に詳しく説明する。
図１は、実施例のコケ付き緑化基盤の製造プロセスを図示したものである。同図において、１は成形型を示し、この成形型１は、上方に向けて開放した有底の正方形、長方形などの矩形形状を有する。この成形型１の形状は特に制限されるものではなく、例えば円形や楕円形状であってもよい。このような成形型１を用意した後、第１工程で、基盤材料２を成形型１の中に投入する。
【００１２】
基盤材料２は、焼成珪藻土粉末を主体にし、バインダーとしてのセメントを含み、これらを攪拌しつつ水を加えて均一に混合させたものであってもよいし、焼成珪藻土粉末を攪拌しながらセメントと水を少しずつ加えながら均一に混合させたものであってもよい。投入する水分量は、基盤材料２を成形するのに適した量を決定すればよい。この実施例では、成形型１の中に投入する基盤材料２は、丁度、粘土のような塑性を具備するような水分量で調製した。
【００１３】
また、この実施例では、軽量化を目的として、基盤材料２の成分は、約１５〜３０重量％のセメントと、残部の焼成珪藻土粉末とからなるが、軽量化を目的としないのであれば、セメントの成分割合を増加させてもよく、また、砂、小石などの補助材料を含めてもよい。
【００１４】
次の第２工程では、基盤材料２の表面（上面）を平らに均す。好ましくは、周縁部分３で囲まれた部分が若干窪んだ凹所４となるように基盤材料２の表面を成形するのがよい。このような基盤材料２の表面を成形するのに、基盤材料２の周縁部分３以外の中央部分が凹所４となるような型５を用意して、この型５でスタンピングすることにより基盤材料２の表面に比較的平らな周縁部分３と、これに囲まれた凹所４とを形作ることができる。
【００１５】
図１に戻って、第２工程は、また、乾燥工程を示す。この乾燥工程では、基盤材料２を収容した成形型１が雨の当たらない場所に放置され、次の第３工程では、成形型１の中の基盤材料２が完全に固化する前に、基盤材料２の露出した表面つまり上面の凹所４に生ゴケ６を載置つまり敷設し、必要で有れば、生ゴケ６を押し付ける。
【００１６】
生ゴケ６は、例えばスナゴケであれば、例えば薄い砂層に種苗体を散布して育成したものであり、基盤材料２に載置する生ゴケ６は、その底面に付着した薄い砂層（図示せず）など生ゴケを育成するのに使用した定着層を含んでいる。
【００１７】
第３工程で、基盤材料２の凹所４に生ゴケ６を載置又は必要に応じて生ゴケ６を若干押し付けた後、そのまま放置して、基盤材料２が完全に固化してコケが一体化したコケ付き緑化基盤７になるのを待つ。
【００１８】
基盤材料２が固化した後であれば、コケ付き緑化基盤７を成形型１から取り出すタイミングは任意である。また、成形型１を例えば木材で作った場合には、コケ付き緑化基盤７を成形型１から取り出すことなく、そのままユーザに提供して、成形型１の中に収容されたコケ付き緑化基盤７をそのまま施工現場に設置するようにしてもよい。
【００１９】
図２は、成形型１から取り外したコケ付き緑化基盤７を示す。選択可能なコケの種類としては、最も好適にはスナゴケであるが、ハイゴケであってもよい。スナゴケ（ギボウシゴケ科）やハイゴケ（ハイゴケ科）は、無機的な環境下であっても先駆的に繁殖することが知られており、例えば、これらのコケを例えば砂層の上で育成した後、適当な大きさに分けて生ゴケ６をその下に付着した砂などの定着層と一緒に、基盤材料２の上に載置するのがよい。
【００２０】
図３、図４は、本発明の他の実施例を説明するための図である。図３は、第１段階として、緑化用ベース基盤を作る工程を示し、図４は、第２工程として、緑化用ベース基盤に生ゴケを一体化させて、上述したコケ付き緑化基盤７を作る段階を示す。
【００２１】
図３を参照して、緑化用ベース基盤を作る工程を説明すると、上方に開放した成形型１０を用意する（図３の（イ））。この成形型１０の底面は、その周縁部分１１で囲まれた中央領域１２が上方に向けて突出した段付き面で構成されているのが好ましい。
【００２２】
次いで、図１を用いて説明した、焼成珪藻土粉末を主体とした基盤材料を成形型１０の中に入れて、成形型１０の中の基盤材料２を均す（図３の（ロ））。成形型１０の中の基盤材料２が固化したら、成形型１０を逆さまにして取り出す。成形型１０から取り出した基盤は、後の説明から理解できるように、緑化用ベース基盤１３となり、この緑化用ベース基盤１３は、成形型１０の段付き底面に対面した面が、周縁部１４で囲まれた凹所１５を備えている。
【００２３】
図４を参照して、緑化用ベース基盤１３からコケ付き緑化基盤７を作る段階の各工程を説明する。緑化用ベース基盤１３の中央凹所１５に、追加の基盤材料１６を投入する（図４の（ホ））。この追加の基盤材料１６の量は、中央凹所１５の中で追加の基盤材料１６を均したときに、中央凹所１５の高さの一部を満たす程度であるのがよい。
【００２４】
追加の基盤材料１６は、先に説明した基盤材料２と同じ成分及び成分割合であってもよく、また、焼成珪藻土粉末とセメントとの混合割合が異なっていてもよい。いずれにせよ、追加の基盤材料１６にあっても、焼成珪藻土粉末を主体として、これにバイダーとしてのセメントを含むのがよい。
【００２５】
緑化用ベース基盤１３の中央凹所１５の中に投入した追加の基盤材料１６を均した後、これが固化する前に、先に図１を用いて第３工程として説明したのと同様に、生ゴケ６を載置又は必要に応じて押し付け（図４の（ヘ））、追加の基盤材料１６が固化して生ゴケ６と一体化するのを待つ。追加の基盤材料１６が固化した後は、図２と同様のコケ付き緑化基盤７になる。
【００２６】
図３、図４を参照して説明した実施例によれば、緑化用ベース基盤１３を別の場所で大量に作ってストックしておき、例えば、施工現場であるビルの屋上に緑化用ベース基盤１３を持ち込んで、このビルの屋上に緑化用ベース基盤１３を敷設した後に、次の作業として、緑化用ベース基盤１３の中央凹所１５に追加の基盤材料１６を投入し、これが固化する前に、生ゴケ６を載置することにより、コケ付き緑化基盤７を施工現場で作ることもできる。また、このような工法によれば、新規なビル屋上などの新規な緑化方法を提供することができる。
【００２７】
上述したコケ付き緑化基盤７によれば、焼成珪藻土を主体とし、これにバインダーとしてのセメントを加えることにより緑化基盤７を作ることから、ポゾラン効果によりセメントが固化する際に生成される水酸化カルシウムの量を抑制できるので、緑化基盤７のアルカリ度合いが緩和され、焼成珪藻土を主体にした緑化基盤７は環境に優しい製品ということができる。
【００２８】
また、焼成珪藻土を主体にした緑化基盤７は多孔性であり、焼成珪藻土は乾燥状態で比重が約０．３５、湿潤状態であっても比重が約０．９であるので、これを主体にした緑化基盤７は軽量であるということができ、また、緑化基盤７は土壌を含んでいないため、ビルの屋上に設置したとしても、ビルに及ぼす加重を低減することができる。
【００２９】
また、焼成珪藻土を主体した緑化基盤７は、通常のコンクリートの約１／９の熱伝導率であるので、緑化基盤７それ自体で熱の伝導を抑えることができ、高い遮熱効果を得ることができる。
【００３０】
また、焼成珪藻土は、自重の約７０％の水を吸収し、乾燥雰囲気では、保水した水を蒸散する特性を備えているため、ビルの屋上に設置したときに、気象変化に対して緑化基盤７それ自体で好適に対応することができる。
【００３１】
また、コケは、無機質の緑化基盤７であっても生き続けることができ、客土（土壌）を必要としないため、ビルの屋上に設置したときにビルに対する加重を抑えることができる。また、コケは、灌水や施肥などのメンテナンスを必要としないため、設置後の維持管理がコスト面を含めて容易である。
【００３２】
また、コケは、過酷な自然条件、特に乾燥に強く、水が極端に少ない環境下であっても、枯死することなく、胞子として生存を続け、水分を得た段階で即座に生物活動を再開する。したがって、夏の厳しい環境下であっても、自然の降雨又は散水によって水分が補給されれば直ちに生き返るので、完全に枯れてしまう虞はない。これにより、一度、コケ付き緑化基盤７を設置した後にコケが枯れてしまい、再度、コケを植え直す必要は殆ど無い。以上のことから、設置後の維持管理においてコスト面で極めて有利である。
【００３３】
また、コケは、自重の約１５倍の水分を保つ能力を有し、大気の乾燥に対して、体内の水分を蒸散して自らの生命を守ることが知られている。したがって、ビルやコンクリートなどの緑化のために、コケ付き緑化基盤７を用いることで、コケの特性を用いて気象変化に対して、コケ付き緑化基盤７で対応することができる。
【図面の簡単な説明】
【図１】コケ付き緑化基盤を製造するプロセスを示す図である。
【図２】コケ付き緑化基盤の斜視図である。
【図３】緑化用ベース基盤を製造するプロセスを示す図である。
【図４】図３で製造した緑化用ベース基盤を用いてコケ付き緑化基盤を作るプロセスを示す図である。
【符号の説明】
１　　成形型
２　　焼成珪藻土粉末を主体にした基盤材料
６　　生ゴケ
７　　コケ付き緑化基盤
１３　　緑化用ベース基盤
１６　　追加の基盤材料
【図１】
2004141030.tif 000003
【図２】
2004141030.tif 000004
【図３】
2004141030.tif 000005
【図４】
2004141030.tif 000006